(57)【要約】【課題】扁平袋内に空気の存在下で酸化発熱する発熱性組成物が封入されており、その扁平袋の粘着部と反対の面が実質的に内容物が外部から見えない材質からなる貼付型使い捨てカイロにおいて、製造ライン内での内容物の噛み込みなどの目視による製品検査を可能にすることを目的とする。【解決手段】実質的に可視光線を透過しない通気性シート、ならびに基材フィルム、粘着剤層およびセパレーターより構成される粘着部からなる扁平型袋内に空気の存在下で酸化発熱する発熱性組成物が封入されており、該扁平型袋が気密性袋内に収納されてなる貼付型使い捨てカイロであって、前記セパレーターが実質的に透明な材質からなることを特徴とする貼付型使い捨てカイロである。【選択図】図１
0003107759.tif 000002
【実用新案登録請求の範囲】
【請求項１】
実質的に可視光線を透過しない通気性シート、ならびに基材フィルム、粘着剤層およびセパレーターより構成される粘着部からなる扁平型袋内に空気の存在下で酸化発熱する発熱性組成物が封入されており、該扁平型袋が気密性袋内に収納されてなる貼付型使い捨てカイロであって、前記セパレーターが実質的に透明な材質からなることを特徴とする貼付型使い捨てカイロ。
【請求項２】
粘着剤層が実質的に透明な粘着剤からなる請求項１記載の貼付型使い捨てカイロ。
【請求項３】
基材フィルムが、該基材フィルムを通じて扁平型袋内の発熱性組成物を目視確認できる程度の可視光線透過度を有する請求項１記載の貼付型カイロ。
【請求項４】
基材フィルムが、該基材フィルムを通じて扁平型袋内の発熱性組成物を目視確認できる程度の可視光線透過度を有する請求項２記載の貼付型カイロ。
【請求項５】
基材フィルムが２〜４重量％のフィラーを含む請求項３または４記載の貼付型使い捨てカイロ。
【考案の詳細な説明】
【技術分野】
【０００１】
本考案は貼付型使い捨てカイロに関する。さらに詳しくは、粘着部と反対の面が実質的に内容物が外部から見えない材質からなる場合であっても、製造ライン内での製品検査が可能な貼付型使い捨てカイロに関する。
【背景技術】
【０００２】
従来より空気の存在下で発熱する発熱性組成物を通気性の収納袋（内袋）に収容し、この内袋を非通気性の袋（外袋）で包装した使い捨てカイロが知られている。かかるカイロとしては、所定の部位に貼り付けて当該部位を効果的に暖めるために内袋の表面に粘着部材を設けた貼付型のものも提案されている。
【０００３】
このような貼付型使い捨てカイロは、外袋を開封して、内袋内の発熱性組成物を空気と接触させることにより発熱が開始し、所定の時間温かい状態が維持されるが、一般的な貼付型使い捨てカイロでは、内袋の材質として柔らかく、かつ所定の強度を有する不織布が使用されている。
【０００４】
しかしながら、一般的な貼付型使い捨てカイロでは、製造ラインでの製品検査を可能せしめるために、粘着部と反対の面において実質的に内容物が外部から目視可能なように白色もしくは淡色の不織布を用いており、デザイン性としては画一的なものであった。また、粘着部は一般的に紙のセパレーターが使用されており、外部から内部を目視不可能となっていた。
【考案の開示】
【考案が解決しようとする課題】
【０００５】
本考案は上記事情に鑑み、白色もしくは淡色ではなく、粘着部と反対の面が実質的に内容物が外部から見えない材質からなる場合であっても、製造ライン内での製品検査が可能な貼付型使い捨てカイロを提供することを目的とする。
【課題を解決するための手段】
【０００６】
すなわち、本考案は、実質的に可視光線を透過しない通気性シート、ならびに基材フィルム、粘着剤層およびセパレーターより構成される粘着部からなる扁平型袋内に空気の存在下で酸化発熱する発熱性組成物が封入されており、該扁平型袋が気密性袋内に収納されてなる貼付型使い捨てカイロであって、前記セパレーターが実質的に透明な材質からなることを特徴とする貼付型使い捨てカイロに関する。
【０００７】
粘着剤層が実質的に透明な粘着剤からなることが好ましい。
【０００８】
基材フィルムが、該基材フィルムを通じて扁平型袋内の発熱性組成物を目視確認できる程度の可視光線透過度を有することが好ましい。
【０００９】
基材フィルムが２〜４重量％のフィラーを含むことが好ましい。
【考案の効果】
【００１０】
本考案の貼付型使い捨てカイロによれば、粘着部を構成するセパレーターが実質的に透明な材質からなるため、粘着部と反対の面が内容物が外部から見えない材質からなる場合であっても、製造ライン内での内容物の噛み込みなどの目視による製品検査が可能となる。
【考案を実施するための最良の形態】
【００１１】
以下、本考案の実施の形態を添付の図面を参照して説明するが、本考案が以下の実施の形態に限られるわけではない。
【００１２】
図１は本考案の貼付型使い捨てカイロを示す。
【００１３】
図１に示すように、本考案の貼付型使い捨てカイロは、通気性シート２、ならびに基材フィルム６、粘着剤層５およびセパレーター４より構成される粘着部３からなる内袋１内に発熱性組成物７が封入されており、該内袋１が気密性の外袋８に収納されてなる。
【００１４】
内袋１の大きさは特に限定されるものではなく、各種用途に応じて適宜選定すればよい。また、形状としては扁平状であれば矩形に限らず、例えば、円形、楕円形舌片形状、ハート型などの形状を採用することができる。
【００１５】
本考案の使い捨てカイロにおける通気性シート２は、内袋１に封入された内容物を隠蔽せしめるため、実質的に可視光線を透過しない材質からなるものである。このような材質を有するものとしては、例えば、黒色など濃色に着色された不織布、着色剤を練り込まれた合成樹脂フィルム、アルミ箔やアルミ蒸着を施された合成樹脂フィルムやそれらを積層したものが使用できる。なかでも、肌触りや使用感を鑑み、不織布で作製されていることが好ましい。
【００１６】
不織布の着色の方法は、あらかじめ着色された原料を用いて不織布を製造する原料着色、不織布製造後のディッピング、印刷などの方法を採用することができるが、使用時の色落ちの問題より、原料着色であることが好ましい。
【００１７】
通気性シート２の通気性については、とくに限定はないが、通気孔の大きさは内容物がこぼれない程度であればよく、たとえば０．５ｍｍ以下程度であり、また通気量は、発熱性組成物７が発熱し得る範囲であればよく、本考案においてとくに限定されるものではない。
【００１８】
また、通気性シート２の厚さは７０〜１５００μｍであることが好ましく、１００〜５００μｍであることがより好ましい。通気性シート２の厚さが７０μｍ未満であると強度が不足し高速生産が困難となる。一方、１５００μｍを超えると手触りが硬くなり充分な風合いを提供できない、経済的に不利益であるなどの問題が生じる。
【００１９】
通気性シート２には、粘着部３と固着するためのシーラント層が設けられている。通気性シート２に通気性をもたせる手段としては、シーラント層に小さな穿孔を施す、多孔質のシーラントを用いるなどの方法を採用することができる。なお、シーラント層は通気性シート２の外周部のみに設けてもよい。
【００２０】
本考案における粘着部３を構成する基材フィルム６は、該基材フィルム６を通じて扁平型袋内の発熱性組成物７を目視確認できる程度の可視光線透過度を有する材料で作製されていることが好ましい。
【００２１】
通常のカイロにおいては、内容物を隠蔽するために、フィルム材質中に酸化亜鉛などの金属酸化物フィラーを含有させる手法が好ましく用いられるが、本考案においては、その配合割合を少なくすることにより、内容物の検品が可能となっている。具体的には、基材フィルム６中のフィラーの配合量は２〜４重量％であることが好ましい。ここで、フィラーの配合量が少なすぎると、発熱終了時に発熱性組成物７が錆びた様子が見えすぎてしまい、見栄えが悪くなるため好ましくない。なお、フィラーとしては、亜鉛もしくはその他の金属の酸化物、硫化物、フェロシアン化物、クロム酸塩、炭酸塩およびケイ酸塩；真珠顔料などの無機系フィラー、またはアゾ化合物、フタロシアニン系化合物、アントラキノン系化合物、インジゴ系化合物、金属錯塩、蛍光顔料などの有機系フィラーが使用される。
【００２２】
基材フィルム６の材質としては、プラスチックフィルムを主とする２〜３層基材が好ましく用いられる。ここで、通気性シート２とヒートシールするためにホットタック性が良好である必要があり、シート全体としての耐熱性や機械的強度をも有する必要があるので、エチレン−酢酸ビニル共重合体、ＥＭＭＡやメタロセン触媒などのシングルサイト触媒によって重合または共重合されたポリエチレンをシーラント層に用いることがより好ましい。
【００２３】
なお、基材フィルム６の厚さは０．０２〜０．７５ｍｍであることが好ましく、０．０５〜０．３ｍｍであることがより好ましい。基材フィルム６の厚さが０．０２ｍｍ未満であると強度が不足し高速生産が困難になるとともに、通気性シート２との充分なヒートシール性が得られない。一方、０．７５ｍｍを超えた場合は、ヒートシール性が低下し高速生産が困難になるとともに経済的にも不利益となる傾向がある。
【００２４】
本考案における粘着部３を構成するセパレーター４は、実質的に透明な材質からなる合成樹脂フィルムで作製されている。合成樹脂フィルムはたとえばポリエチレンテレフタレート、ポリエチレン、ポリプロピレン、ポリスチレンの単層体やそれらを積層したものを用いることができる。透明性、製袋加工時の熱による収縮の問題を鑑み、ポリエチレンテレフタレートが好ましい。また、当該フィルムの厚みは、２５〜５０μｍが好ましい。２５μｍ未満であると、フィルムのこしが無いため、加工時にしわなどが発生する。５０μｍより厚いと、内袋１作製時において通気性シート２と粘着部３とのヒートシール性に影響を及ぼすとともに、経済的に不利益となる。またカイロ使用時に、粘着剤層５との剥離性を高めるために、粘着剤層５と接触する面にはシリコーン処理を施してもよい。
【００２５】
本考案における粘着剤層５は実質的に透明な粘着剤からなることが好ましい。粘着剤としてはアクリル系、ウレタン系、シリコン系、ポリイソプレン系、ポリイソブチレン系、ＳＩＳ（スチレン−イソプレン−スチレン）系、スチレンイソプレン系、またはポリアクリル酸系水溶性高分子などがあげられるが、ホットメルト加工できるアクリル系、ＳＩＳ系を用いることが特に好ましい。粘着剤層５の形成にあたっては、基材フィルム６に従来公知の塗工方法により直接形成してもよいし、セパレーター４上に粘着剤層５を形成した粘着シートを、基材フィルム６にラミネートしてもよい。粘着剤層５の厚みは通常１〜１００μｍ、好ましくは１０〜５０μｍとされる。
【００２６】
なお、本考案において「実質的に透明」とは、セパレーター４または粘着剤層５を介して内袋１中に封入された内容物が見える程度であることをいう。
【００２７】
内袋１に封入する発熱性組成物７としては、たとえば鉄粉などの金属粉、活性炭、水、保水剤（木粉、バーミキュライト、パーライト、シリカゲル、吸水性樹脂など）、食塩などからなるものを用いることができるが、これに限定されるものではない。
【００２８】
外袋８はポリエチレン、ポリプロピレン、シリカ蒸着フィルム、塩化ビニリデンコートフィルムやその積層フィルムからなっている。なかでも、酸素や水蒸気の非透過性、水素の適度な透過性の点から塩化ビニリデンコートフィルムを用いることが好ましい。
【図面の簡単な説明】
【００２９】
【図１】本考案の貼付型使い捨てカイロの実施形態を示す断面図である。
【符号の説明】
【００３０】
１  内袋
２  通気性シート
３  粘着部
４  セパレーター
５  粘着剤層
６  基材フィルム
７  発熱性組成物
８  外袋
【図１】
0003107759.tif 000003